(57)【要約】【課題】別名、スマートホンと謂われる広い操作ディスプレイを有する携帯電話等の携帯端末を、片手で保持離脱を防ぎ、親指によるデータ入力が容易で、かつ携帯端末を傾立設し、ディスプレイ面を視認できる構造の簡単な保持具を提供すること。【解決手段】扁平状で適度の柔軟性と弾力性を有した部材の、中間部をはさんでその左右に指を差し入れるための補助小孔を設け、各補助小孔上端に中間部をまたぎ、雌雄係止切り込み部を設け、雄係止付指挿入挟止帯と雌係止付舌片を対連設し、前記雄係止付指挿入挟止帯を除く前記部材裏面に、両面接着シートの一面を貼設し、もう一面を携帯端末背面の横長側面側に前記指挿入挟止帯側を貼付し設け、前記指挿入挟止帯を適宜外側に折り曲げて、前記携帯端末を斜めに立て掛けることができると共に、携帯端末の収納時には携帯端末裏面に装着された雌係止付舌片に雄係止付指挿入挟止帯を重ね指で押圧挿入係止し、携帯端末裏面に対し平面状に収納することができる。【選択図】図1
2017112396.tif 000002
【特許請求の範囲】
【請求項１】
扁平で適度の柔軟性と弾力性を有した部材(1)の、上側及び左右両側近傍を除く横長方向左右に、指(8)を差し入れるための補助小孔(3)を設け、各補助小孔(3)上部又は上端で繋がる雌雄係止切り込み係止部(A4)を設けて、前記指(8)を挿入挟止できる雄係止付指挿入挟止帯(6)と雌係止付舌片(14)を対連設した事を特徴とする携帯端末用保持具。
【請求項２】
前記部材(1)の上側及び左右両側近傍を除く左右両縦側と連架設した指(8)の一指又は複数指の指(8)が挿入できる径の横長に設けた、前記雌雄係止切り込み部(4A)を設け、前記雌雄係止切り込み部(4A)上側に、前記雄係止付指挿入挟止帯(6)と下側に、前記雌係止付舌片(14)を対連設したことを特徴とする請求項1記載の携帯端末用保持具。
【請求項３】
前記雄係止付指挿入挟止帯(6)左右両側に、前記部材(1)を延設し、前記延設した部材(1)に雌雄係止切り込み部(4A)を設け、外側雄係止付指挿入挟止帯(6B)と雌係止付挟止片(15)を対連設したことを特徴とする、請求項1、請求項2記載の携帯端末用保持具。
【請求項４】
前記携帯端末用保持具本体Rを軟質性合成樹脂で一体成型したことを特徴とする、請求項1乃至請求項3のいずれか一項に記載の携帯端末用保持具。
【請求項５】
前記部材(1)に設けた前記雄係止付指挿入挟止帯（6）又は、外側雄係止付指挿入挟止帯6Bを除く裏面接着部7に、両面接着シート10の一面を貼装着したことを特徴とする請求項1乃至請求項4のいずれか一項に記載の携帯端末用保持具。
【発明の詳細な説明】
【技術分野】
【０００１】
本発明は携帯電話等、携帯端末用保持具に係り、特に携帯端末を片手で保持し、広い操作ディスプレイよりのデータ入力等が親指だけで行え、かつ携帯端末を傾立設する保持具の構造に関する。
【背景技術】
【０００２】
従来、携帯電話など携帯端末についでは、保持補助部材として携帯電話機の操作部でない裏面側に、ベルト状の両端部を固定した、指掛止部材を設けたものが知られている（例えば特許文献1、特許文献2、特許文献3参照）。
のように携帯電話機裏面側に、ベルト状の指掛止部材を設けることにより、片手で比較的安定保持する機構のみの携帯電話機保持具で、携帯電話機の画像を見るスタンド機能がなく不都合な構成で不便であった。
【先行技術文献】
【特許文献】
【０００３】
【特許文献１】特開2006-140575
【特許文献２】特開2007-36619
【特許文献３】特開2013-165823
【発明の概要】
【発明が解決しようとする課題】
【０００４】
上記従来の保持機能を備えた携帯電話機用保持具では、バンド構造などの各挿通部に手指を挿通した状態で携帯電話機を保持することから、携帯電話機の使用時の操作が容易になる。しかしながら近年の携帯電話機、別名（スマートホン）という広いディスプレイの操作面の携帯電話機においては、片手親指による操作範囲が相対的に広くなってきているため、種々の課題が生じ、例えば特許文献1、2、3記載の指保持バンドでは、携帯電話の裏面に設けられたベルト状の指挿入係止部材の内側面と、前記携帯電話裏面部側の間に、親指と小指を除く指を差し入れ、携帯電話裏面部で該携帯電話を保持するのが一般的であるから、携帯電話裏面に設けられたベルト状の指掛止部材の内側に差し込まれた指は、前記指掛止部材よりの離脱の危険が常にあるので、手と指に著しい負担が生じるという課題と共に携帯電話の最近の広い操作面を有するディスプレイの映像を見るには、前記携帯電話保持ベルトには、スタンド機能が具備されていない等の不便があった。
【０００５】
又、実用新案登録第3105170号記載の携帯電話保持具は、固定部接着部（1）と適度の柔軟性を有する指挿入リング（3）が着脱可能に構成された携帯電話保持具であるが、それには例えば（スマートホン）と呼ばれる広い操作面を有するディスプレイの映像を見ることができる携帯電話には、前記保持具はスタンド機構を備えていないという不便と、立設されたリング部が携帯には嵩ばるので、リング（3）が着脱可能としているが、それらは共に二重の手間が生じる。
【０００６】
前記四例の公知発明の持つ難点を生じることなしに、従来技術の持つ問題を解決することを目的をする。
【課題を解決するための手段】
【０００７】
携帯電話等の操作面ではない背面に、扁平状で適度の柔軟性と弾力性を有した携帯端末用保持具本体Rの部材の上側、左右両側近傍を除く中間部をはさみ、左右に指を差し入れるための補助小孔を対照的に設け、前記補助小孔各上部又は上端で繋がる雌雄係止切り込み部を設け、雌係止部と雄係止部を対連設し設けて前記各補助小孔上側及び左右両側に亘り、指が挿入できる雄係止付指挿入挟止帯と雌係止付舌片を対連設し、前記雄係止付指挿入挟止帯を除く部材裏面に両面接着シートの一面を貼設し、もう一面を携帯端末背面横長方向側面近傍位置に、前記雄係止付指挿入挟止帯側を貼着固定し設け、前記雄係止付指挿入挟止帯下側より、指（人差し指、中指、薬指、小指）のいずれかのよい指を、一指又は複数の指を挿入するに従い、前記横長に構成された雄係止付指挿入挟止帯が上側にたわみ広がりながら開口し第一関節上部迄挿入すると、前記挿入された指の甲と、前記雄係止付指挿入挟止帯内側下縁が、常に摩擦を伴い接触されているので、前記携帯端末が前記指よりの落下方向に重力が働くと、前記雄係止付指挿入挟止帯より、前記指を挟止する支点が後方に位置するため、前記指の甲は前記雄係止付指挿入挟止帯内側下縁に食い込むように、前記雄係止付指挿入挟止帯は、前記携帯端末背面に対し、傾斜角度を70度、60度、45度と変化させながら、前記携帯端末背面と前記雄係止付指挿入挟止帯の間にはさまれて、前記携帯端末は、前記指からの離脱が阻止され、又前記携帯端末の広いディスプレイにおけるデータ入力等は、雄係止付指挿入挟止帯が横長に構成されているため、指一指挿入の場合は、指が左右両方向に自由に移動できるため、他の指の負担をかけず片手親指一本で行うことができ、又前記ディスプレイにおける映像の観賞時には、前記携帯端末背面の側面に構成された前記雄係止付指挿入挟止帯を外側に必要量折り曲げ傾立設し、スタンドとしても使用でき、かつ前記スタンドの収納時には、前記雄係止付指挿入挟止帯と対連設された雌係止付舌片に、前記雄係止付指挿入挟止帯を重ね、前記指で押圧挿入係止し、前記携帯端末背面に対し、前記携帯端末用保持具本体Rを平面状に収納することができる。
【発明の効果】
【０００８】
本発明の携帯端末用保持具によれば、下記に示す（1）から（5）迄の効果が得られる。
（1）携帯電話機の広いディスプレイの、データ入力等を親指一本で他の指に負担をかけず行うことができる。
（2）携帯電話機の手よりの離脱を回避される。
（3）携帯電話機に於けるディスプレイの映像時には、携帯電話機背面の側面に装着された指挿入挟止帯を、外側に所要角度に折り曲げてディスプレイを視認することができる。
（4）構造が極めて簡単で安価に提供できる。
（5）携帯端末用保持具本体Rが極めて薄く構成されているのでポケット等の収納時に嵩ばらない。
【図面の簡単な説明】
【０００９】
【図１】第一実施形態の携帯端末用保持具本体Rの平面図。
【図２】図1E-E線矢印方向に見た拡大断面図。
【図３】携帯端末用保持具本体Rの平面図。
【図４】図3H-H線矢印方向に見た拡大断面図。
【図５】携帯端末用保持具本体Rを携帯端末の背面に装着した状態を示す平面図。
【図６】携帯端末用保持具本体Rを携帯端末の背面に装着し、携帯端末用保持具本体Rに指を二本差し入れた状態を示す参考平面図。
【図７】携帯端末用保持具本体Rを携帯端末の背面に装着し、携帯端末用保持具本体Rに指を差し入れ保持し、親指一指で携帯端末ディスプレイの入力等操作している平面図。
【図８】携帯端末用保持具本体Rを携帯端末の背面に装着し、携帯端末用保持具本体Rに設けた指挿入挟止帯を屈曲させ、携帯端末のスタンドとして傾立設した側面図。
【図９】第二実施例を示す携帯端末用保持具本体Rの平面図。
【図１０】第三実施例を示す携帯端末用保持具本体Rの平面図。
【図１１】図3丸印点線内S-S線拡大断面図。
【発明を実施するための形態】
【００１０】
本発明の実施の形態について、図面を参照して説明する。尚、実施の形態において同じ符号を付した構成要素は、同様の動きを呈するので再度の説明を省略することがある。
【００１１】
図1に示すように、携帯端末用保持具本体Rは、厚手の皮革、合成皮革、軟質合成樹脂、合成ゴム等扁平な適度の柔軟性と弾力性を有した部材1の、上側及び左右両側近傍と、中間部2を除く横長方向左右に、指8を差し入れるための補助小孔3を設け、前記中間部2をはさんで設けた、前記各補助小孔3上部又は上端で繋がる雌雄係止切り込み部4Aを設け、図2図11に示す、雌係止部5と雄係止部5Aで対連設し設けて、前記補助小孔3上側及び左右両側に、横長方向に設けた指8を差し込むことのできる径の雄係止付指挿入挟止帯6と雌係止付舌片14を対連設し、前記指挿入挟止帯6を除く図4に示す裏面接着部7に、両面接着シート10の一面を貼設し、もう一面を図5に示す携帯端末11の背面12の横長方向両側面の何れか一方側面に、親指9で前記ディスプレイ13の、操作に適した側面近傍位置に、前記指挿入挟止帯6側を貼着し設け、前記保持具本体Rを使用することがもっとも好ましい使用法の一例であるが、又その他任意所要部に、前記保持具本体Rを前記携帯端末11の背面12に装着し設け使用することもできる。（図省略）
【００１２】
前記部材1の、前記指挿入挟止帯6下側より、前記指8を挿入すると、図6に示すように、前記指挿入挟止帯6が内側より外側に向かって撓むように広がりながら、前記指8は第一関節上部迄挿入され、前記指挿入挟止帯6内側下縁と、前記指8の甲側が常に摩擦を伴い接触しているので（部材1が適度の柔軟性と弾力性があるがめに、元の位置に戻ろうとする力が生じるため）、前記携帯端末11の背面12に設けられた、前記指挿入挟止帯6に挿入された前記指8は、前記携帯端末11よりの落下方向重力図7矢印方向に、重力Gが加わるに従い、支点Xが図1に示すように前記指挿入挟止帯6より後方に位置するため、前記指8の甲に前記指挿入挟止帯6内側下端が食い込むよう、前記指挿入挟止帯6は、傾斜角度を80度、70度、60度、45度と変化されながら、前記携帯端末11の背面12と、前記指挿入挟止帯6の間に、前記指8は押止されながら挟止され、前記携帯端末11への突発的な衝撃が加えられても容易に前記指挿入挟止帯6に挿入された前記指8は、前記指挿入挟止帯6よりの離脱が防がれると共に、前記指挿入挟止帯6に挿入された指8は、図1、図6、図9に示すように、指挿入挟止帯6の支点Xが両面接着シート10で貼着された雌係止付舌片14より後方に位置するため、指挿入挟止帯6に挿入された指8の挿入方向に、指挿入挟止帯6を後方に剥がそうとする挿入された指8の挿入圧力に抗し、携帯端末11背面12に貼付装着された保持具本体Rは、容易に携帯端末11より離脱を回避されるが、尚前記横長に設けられた指挿入挟止帯6は、指8を一指に限らず複数指の指8を挿入挟止することができる（図6）。
【００１３】
図7に示すように、前記携帯端末11を前記指8を示す（人差し指、中指、薬指、小指）8を含め、例えば前記指挿入挟止帯6に人差し指8を第一関節上部迄挿入し、その他の指8で前記携帯端末11の背面12側を支え保持し、前記広いディスプレイ13のデータ入力等が、図6に示すように前記指挿入挟止帯6が横長に設けられているため、前記指挿入挟止帯6に挿入された前記指8一指挿入の場合は、挿入された前記指8は左右横方向に自由に移動でき（図省略）前記親指9だけで前記ディスプレイ13よりのデータ入力等が行える。
【００１４】
又、使用後は図8に示すように、前記携帯端末11背面12横長方向側面側近傍に位置するよう設けられた、前記指挿入挟止帯6を外側に適宜に折り曲げ、前記携帯端末11を傾立設し、前記ディスプレイ13に映し出された映像等を、自由な傾斜角度で視認できるスタンドKを設けることができる。
【００１５】
尚、図8に示す前記スタンドKの収納時は、前記雄係止付指挿入挟止帯6を前記携帯端末11の背面12側に折り畳み、図12に示す前記雌係止付舌片14に対設された前記雄係止付指挿入挟止帯6を重ね、前記指8で押圧挿入係止し、前記指挿入挟止帯6を、図5に示す前記携帯端末11の背面12に対し平面状に収納することができる。
【００１６】
図9は、第二実施例を示す平面図で、前記部材1の上側及び左右両側近傍を除く前記指8を、一指又は複数指挿入挟止できる径の横長の略門状（略アーチ状）括弧内図省略、又それら似た形状でも対応できる雌雄係止切り込み部4Aを設けると、上側に前記雄係止付指挿入挟止帯6と下側に雌係止付舌片14が対連設され、前記雄係止付指挿入挟止帯6を除く、前記部材1の裏面接着部7に、両面接着シート10の一面を貼着し、もう一面を前記携帯端末11の背面12の横長側になるよう指挿入挟止帯6側を貼装着し、以下は第一実施例と同様実施することができる。
【００１７】
図10は第三実施例を示すように、前記部材1の上側左右両側近傍を除く、前記指8を一指又は複数指挿入挟止できる径の横長の略門状（略アーチ状）括弧内は図省略、又それらに似た形状でも対応できる、前記雌雄係止切り込み部4Aを設けると、上側に前記雄係止付指挿入挟止帯6とその下側に雌係止付舌片14が対連設され、前記雄係止付指挿入挟止帯6左右両側、外側に、前記部材1を延設させ、前記延設した部材1に、前記雌雄係止切り込み部4Aを設けて、外側雄係止付指挿入挟止帯6Ｂと、雌係止付挟止片15を対連設し、前記外側雄係止付指挿入挟止帯6Bを除く、前記携帯端末用保持具本体Rの裏面接着部7に、前記両面接着シート10の一面を貼着し、もう一面の両面接着シート10を携帯端末11の背面12に貼装着し、前記携帯端末11の使用後は、前記雌係止付挟止片15に、前記外側雄係止付指挿入挟止帯6Bを重ね、指8で押圧挿入係止し、前記携帯端末11の背面12に装着した保持具本体Rを、携帯端末11の背面12に対し平面状に収納することができ、以下実施は第一実施例と同様につき実施図と共に（省略）する。
【００１８】
第四実施例
前記携帯端用末保持具本体Rを第一実施例、第二実施例、第三実施例迄の実施を軟質性合成樹脂で一体成形することもできる。
【符号の説明】
【００１９】
R 携帯端末用保持具本体
1 部材
2 中間部
3 補助小孔
4A 雌雄係止切り込み部
5 雌係止部
5A 雄係止部
6B 外側雄係止付指挿入挟止帯
6 雄係止付指挿入挟止帯
7 裏面接着部
8 指（中指、人差し指、薬指、小指）
9 親指
10 両面接着シート（感圧接着剤）
11 携帯端末
12 背面
13 ディスプレイ
14 雌係止付舌片
15 雌係止付挟止片
G 重力
K スタンド
X 支点
S 接地面
【図１】
2017112396.tif 000003
【図２】
2017112396.tif 000004
【図３】
2017112396.tif 000005
【図４】
2017112396.tif 000006
【図５】
2017112396.tif 000007
【図６】
2017112396.tif 000008
【図７】
2017112396.tif 000009
【図８】
2017112396.tif 000010
【図９】
2017112396.tif 000011
【図１０】
2017112396.tif 000012
【図１１】
2017112396.tif 000013